(57)【要約】本発明は、加入者毎に異なるマルチメディア化されたＲＢＴ／ＢＴの送出を簡単な構成で実現することを目的とし、加入者端末毎のマルチメディアＲＢＴ／ＢＴのサービス加入状況が登録される加入者サービス管理装置と、マルチメディアＲＢＴ／ＢＴのサービスに加入している加入者端末毎のプロファイルが登録されるユーザプロファイル管理装置と、マルチメディアＲＢＴ／ＢＴのサービスに加入している加入者端末毎にマルチメディアＲＢＴ／ＢＴが登録されるメディア管理蓄積装置と、前記加入者端末への着信を受け付けると、上記各装置の登録内容から加入者のユーザプロファイル、再生すべきマルチメディアファイルを確認し、発信者端末に再生するマルチメディアＲＢＴ／ＢＴ再生制御装置とを有する。
2004093422.tif 000002
【特許請求の範囲】
【請求項１】
加入者端末毎に異なるマルチメディアＲＢＴ／ＢＴを発信者端末に送出するためのマルチメディアＲＢＴ／ＢＴ送出システムであって、
加入者端末毎のマルチメディアＲＢＴ／ＢＴのサービス加入状況が登録される加入者サービス管理装置と、
マルチメディアＲＢＴ／ＢＴのサービスに加入している加入者端末毎のプロファイルが登録されるユーザプロファイル管理装置と、
マルチメディアＲＢＴ／ＢＴのサービスに加入している加入者端末毎にマルチメディアＲＢＴ／ＢＴが登録されるメディア管理蓄積装置と、
上記各装置の動作を制御するマルチメディアＲＢＴ／ＢＴ再生制御装置と、
加入者端末への着信の通知を受けると、該加入者端末の状態を確認するとともに、前記加入者サービス管理装置を参照して該加入者端末が登録されているかをチェックし、該加入者端末が前記加入者サービス管理装置に登録されており、かつ状態が空き、もしくは通話中であった場合、前記マルチメディアＲＢＴ／ＢＴ再生制御装置に対してルーチングを行う交換機と、を具備し、
前記マルチメディアＲＢＴ／ＢＴ再生制御装置は、前記加入者端末への着信を受け付けると、前記ユーザプロファイル管理装置に対して加入者のユーザプロファイルの問い合わせを行い、その後、前記ユーザプロファイル管理装置から再生すべきマルチメディアファイルの通知を受けると、前記メディア管理蓄積装置に対して、該当するマルチメディアファイルの再生要求を行い、この結果、前記メディア管理蓄積装置からマルチメディアファイルが転送されるとマルチメディアに変換し、前記交換機を通じて発信者端末に再生することを特徴とするマルチメディアＲＢＴ／ＢＴ送出システム。
【請求項２】
請求項１記載のマルチメディアＲＢＴ／ＢＴ送出システムにおいて、
メディア管理蓄積装置は、音声、メロディ、静止画、ビデオなど、マルチメディア化されたマルチメディアＲＢＴ／ＢＴが登録されていることを特徴とするマルチメディアＲＢＴ／ＢＴ送出システム。
【請求項３】
請求項１記載のマルチメディアＲＢＴ／ＢＴ送出システムにおいて、
ユーザプロファイル管理装置に登録される加入者端末毎のプロファイルは、発信者端末、発信者端末が利用する通信事業者、日時、記念日など、様々な要素をプロファイルのパラメータを含むことを特徴とするマルチメディアＲＢＴ／ＢＴ送出システム。
【請求項４】
請求項１記載のマルチメディアＲＢＴ／ＢＴ送出システムにおいて、
ユーザプロファイル管理装置およびメディア管理蓄積装置への登録が、ネットワーク網を介して行なうことを特徴とするマルチメディアＲＢＴ／ＢＴ送出システム。
【請求項５】
請求項１記載のマルチメディアＲＢＴ／ＢＴ送出システムにおいて、
メディア管理蓄積装置への登録が、加入者端末と電話交換網、または、加入者端末とネットワーク網を介して行なうことを特徴とするマルチメディアＲＢＴ／ＢＴ送出システム。
【請求項６】
請求項１記載のマルチメディアＲＢＴ／ＢＴ送出システムにおいて、
ユーザプロファイル管理装置およびメディア管理蓄積装置への、プロファイルの新規作成、編集、確認、削除などの操作を、パケット交換網、ネットワーク網を介して行なうことを特徴とするマルチメディアＲＢＴ／ＢＴ送出システム。
【請求項７】
加入者端末毎に異なるマルチメディアＲＢＴ／ＢＴを発信者端末に送出するためのマルチメディアＲＢＴ／ＢＴ送出方法であって、
加入者端末毎のマルチメディアＲＢＴ／ＢＴのサービス加入状況が登録される加入者サービス管理手段と、
マルチメディアＲＢＴ／ＢＴのサービスに加入している加入者端末毎のプロファイルが登録されるユーザプロファイル管理手段と、
マルチメディアＲＢＴ／ＢＴのサービスに加入している加入者端末毎にマルチメディアＲＢＴ／ＢＴが登録されるメディア管理蓄積手段と、
上記各装置の動作を制御するマルチメディアＲＢＴ／ＢＴ再生制御手段と、
加入者端末への着信の通知を受けると、該加入者端末の状態を確認するとともに、前記加入者サービス管理装置を参照して該加入者端末が登録されているかをチェックし、該加入者端末が前記加入者サービス管理装置に登録されており、かつ状態が空き、もしくは通話中であった場合、前記マルチメディアＲＢＴ／ＢＴ再生制御装置に対してルーチングを行う交換手段と、を具備し、
前記マルチメディアＲＢＴ／ＢＴ再生制御手段は、前記加入者端末への着信を受け付けると、前記ユーザプロファイル管理手段に対して加入者のユーザプロファイルの問い合わせを行い、その後、前記ユーザプロファイル管理手段から再生すべきマルチメディアファイルの通知を受けると、前記メディア管理蓄積手段に対して、該当するマルチメディアファイルの再生要求を行い、この結果、前記メディア管理蓄積手段からマルチメディアファイルが転送されるとマルチメディアに変換し、前記交換手段を通じて発信者端末に再生することを特徴とするマルチメディアＲＢＴ／ＢＴ送出方法。
【請求項８】
請求項７記載のマルチメディアＲＢＴ／ＢＴ送出方法において、
メディア管理蓄積手段は、音声、メロディ、静止画、ビデオなど、マルチメディアＲＢＴ／ＢＴが登録されていることを特徴とするマルチメディアＲＢＴ／ＢＴ送出方法。
【請求項９】
請求項７記載のマルチメディアＲＢＴ／ＢＴ送出方法において、
ユーザプロファイル管理手段に登録される加入者端末毎のプロファイルは、発信者端末、発信者端末が利用する通信事業者、日時、記念日など、様々な要素をプロファイルのパラメータを含むことを特徴とするマルチメディアＲＢＴ／ＢＴ送出方法。
【請求項１０】
請求項７記載のマルチメディアＲＢＴ／ＢＴ送出方法において、
ユーザプロファイル管理手段およびメディア管理蓄積手段への登録が、ネットワーク網を介して行なうことを特徴とするマルチメディアＲＢＴ／ＢＴ送出方法。
【請求項１１】
請求項７記載のマルチメディアＲＢＴ／ＢＴ送出方法において、
メディア管理蓄積手段への登録が、加入者端末と電話交換網、または、加入者端末とネットワーク網を介して行なうことを特徴とするマルチメディアＲＢＴ／ＢＴ送出方法。
【請求項１２】
請求項７記載のマルチメディアＲＢＴ／ＢＴ送出方法において、
ユーザプロファイル管理装置およびメディア管理蓄積手段への、プロファイルの新規作成、編集、確認、削除などの操作を、パケット交換網、ネットワーク網を介して行なうことを特徴とするマルチメディアＲＢＴ／ＢＴ送出方法。
【発明の詳細な説明】
【技術分野】  本発明は、電話交換機に関し、特に、リングバックトーン、ビジートーンが設定可能に構成された電話交換機、電話交換システム、および、電話交換方法に関する。
【背景技術】  従来、電話発信時に交換機から送出されるリングバックトーン（以下ＲＢＴと称する）やビジートーン（以下、ＢＴと称する）は、単調なトーンによるものとなっている。
Ｆｉｇ．５は、ＲＢＴやＢＴを送出するための構成を示すブロック図である。
発信者端末５０１から着信者端末５０２に対する発呼が行なわれると、回線交換電話網５０４を構成する交換機のうち、最も発信者端末５０１に近い交換機（不図示）に接続される（［１］）。接続を受けた交換機は着信者端末５０２の状態（空き、話中、圏外など）の確認を行い（［２］）、状態が空きで合った場合はＲＢＴトーン、話中であった場合はＢＴトーンを再生し、それぞれ発信者端末５０１側へ送信する（［３］）。
上記のように、従来型のシステムは、ＲＢＴ／ＢＴを発信者端末に最も近い交換機から再生することとされている。再生されるＲＢＴ／ＢＴは交換機により決定されるものである。
ＲＢＴ／ＢＴとしては上述したように単調なトーンが再生されることが多いが、トーンの代わりに、音声、メロディ、静止画、ビデオなどのマルチメディアを発信者に送信することが文献１（特開平０３−１２３２６９）、文献２（特開平０３−１９１６４５）、文献３（特開平０９−１６２９７８）、文献４（特表２００３−５０５９３７）に開示されている。
文献１には、電話交換機にＲＢＴ／ＢＴとして音声を記憶させる技術が開示されている。
文献２には、ＲＢＴ／ＢＴを検出した結果を音声にて通知する技術が開示されている。
文献３には、交換機に画像／音声メッセージを登録し、ＲＢＴの送出の有無および予め登録された内容に従って交換機が登録されている画像／音声メッセージを送出する技術が開示されている。
文献４には、ＲＢＴの代わりに商業情報を音声／文字／画像の形式で送出する技術が開示されている。
上述した従来技術のうち、文献１、２、４に開示される技術では、送出される情報が固定的なものであり、加入者毎にユニークなプロファイルとすることができず、加入者の希望に応じてＲＢＴ／ＢＴを選択的に再生するようなことはできなかった。
文献３に開示される技術では交換機が登録されている画像／音声メッセージを送出することとされているが、通常交換機には音声録音、コーデック変換等の機能は具備されておらず、既存の交換機でＲＢＴ／ＢＴをマルチメディア化することは困難である。仮にＲＢＴ／ＢＴをマルチメディア化することができたとしても、信号処理装置からメディアファイルを操作すること、加入者がネットワーク網やパケット網等を通じてプロファイルの登録、変更、削除、サービス加入操作を行うこと、メディアファイルを電話機やインターネットを通じて登録することのいずれも通常できない。
さらには、ＲＢＴ／ＢＴの再生メディアを、回線種別、帯域、音声コーデック方式、電話機の特性に応じて変換を行うことや、複数メディアを複合再生することは不可能である。
【発明の開示】
本発明は、以上の問題点を解決するシステムおよび方法を提供することを目的とする。
本発明の方法によるシステムは以下の形態を持つ。
加入者端末毎に異なるマルチメディアＲＢＴ／ＢＴを発信者端末に送出するためのマルチメディアＲＢＴ／ＢＴ送出システムであって、
加入者端末毎のマルチメディアＲＢＴ／ＢＴのサービス加入状況が登録される加入者サービス管理装置と、
マルチメディアＲＢＴ／ＢＴのサービスに加入している加入者端末毎のプロファイルが登録されるユーザプロファイル管理装置と、
マルチメディアＲＢＴ／ＢＴのサービスに加入している加入者端末毎にマルチメディアＲＢＴ／ＢＴが登録されるメディア管理蓄積装置と、
上記各装置の動作を制御するマルチメディアＲＢＴ／ＢＴ再生制御装置と、
加入者端末への着信の通知を受けると、該加入者端末の状態を確認するとともに、前記加入者サービス管理装置を参照して該加入者端末が登録されているかをチェックし、該加入者端末が前記加入者サービス管理装置に登録されており、かつ状態が空き、もしくは通話中であった場合、前記マルチメディアＲＢＴ／ＢＴ再生制御装置に対してルーチングを行う交換機と、を具備し、
前記マルチメディアＲＢＴ／ＢＴ再生制御装置は、前記加入者端末への着信を受け付けると、前記ユーザプロファイル管理装置に対して加入者のユーザプロファイルの問い合わせを行い、その後、前記ユーザプロファイル管理装置から再生すべきマルチメディアファイルの通知を受けると、前記メディア管理蓄積装置に対して、該当するマルチメディアファイルの再生要求を行い、この結果、前記メディア管理蓄積装置からマルチメディアファイルが転送されるとマルチメディアに変換し、前記交換機を通じて発信者端末に再生することを特徴とする。
この場合、メディア管理蓄積装置は、音声、メロディ、静止画、ビデオなど、マルチメディアＲＢＴ／ＢＴが登録されていることとしてもよい。
また、ユーザプロファイル管理装置に登録される加入者端末毎のプロファイルは、発信者端末、発信者端末が利用する通信事業者、日時、記念日など、様々な要素をプロファイルのパラメータを含むこととしてもよい。
また、ユーザプロファイル管理装置およびメディア管理蓄積装置への登録が、ネットワーク網を介して行なうこととしてもよい。
また、メディア管理蓄積装置への登録が、加入者端末と電話交換網、または、加入者端末とネットワーク網を介して行なうこととしてもよい。
また、ユーザプロファイル管理装置およびメディア管理蓄積装置への、プロファイルの新規作成、編集、確認、削除などの操作を、パケット交換網、ネットワーク網を介して行なうこととしてもよい。
本システムは、電話の発信者が相手呼出中／話中に聞かされるＲＢＴ（Ｒｉｎｇ  Ｂａｃｋ  Ｔｏｎｅ）／ＢＴ（Ｂｕｓｙ  Ｔｏｎｅ）を音声、メロディ、静止画、ビデオなどマルチメディア化するためのシステムである。着信者は、ここで聞かせるマルチメディアＲＢＴ／ＢＴを発信者、または発信者が利用する通信事業者毎に準備、再生制御することができる。
【図面の簡単な説明】  Ｆｉｇ．１は本発明による一実施例の構成を示すブロック図である。
Ｆｉｇ．２は本発明による一実施例の構成を動作とともに示すブロック図である。
Ｆｉｇ．３は本発明による一実施例の構成を動作とともに示すブロック図である。
Ｆｉｇ．４は本発明による他の実施例の構成を動作とともに示すブロック図である。
Ｆｉｇ．５は従来例の構成を示すブロック図である。
【発明を実施するための最良の形態】  次に、本発明の実施例について図面を参照して説明する。
Ｆｉｇ．１は本発明による一実施例の構成を示すブロック図である。
本実施例は、加入者端末１０１、発信者端末１０２、パケット電話網１０３、回線交換電話網１０４、マルチメディアＲＢＴ／ＢＴ再生制御装置１０５、オペレータ端末１０６、加入者サービス管理装置１０７、ユーザプロファイル管理装置１０８、メディア管理蓄積装置１０９、ネットワーク網１１０、加入者端末１１１およびコンテンツプロバイダ端末１１２から構成されている。
マルチメディアＲＢＴ／ＢＴ再生制御装置１０５は、マルチメディアＲＢＴ／ＢＴの再生、制御機能を有する。加入者サービス管理装置１０７には、オペレータ端末１０６を介して通信事業者のオペレータがマルチメディアＲＢＴ／ＢＴのサービスを行なう加入者が利用する加入者端末の登録が行われる。ユーザプロファイル管理装置１０８は、加入者が登録するＲＢＴ／ＢＴを選択テーブルを管理する。メディア管理蓄積装置１０９は、マルチメディアＲＢＴ／ＢＴを蓄積、管理し、コンテンツプロバイダ端末１１２はマルチメディアＲＢＴ／ＢＴのメディアファイルをネットワーク網１１０を介してメディア管理蓄積装置１０９へ提供する。
本実施例における加入者端末１０１を利用する加入者は、通信事業者に対してマルチメディアＲＢＴ／ＢＴサービスを受ける旨の申し込みを行ったユーザである。サービスを受ける旨の申し込みは、本実施例のシステムに限定されることはなく、サービスを実施する通信事業者が提供する様々な手段で提供される。本実施例によるシステムを用いる場合には、例えば、マルチメディアＲＢＴ／ＢＴ再生制御装置１０５を介してのオンライン加入としてもよく、特に限定されるものではない。
本実施例における発信者端末１０２を利用する発信者は、加入者端末１０１に対して発信を行なうユーザであり、着信者があらかじめユーザプロファイル管理装置１０８に登録したプロファイルに基づき、マルチメディアＲＢＴ／ＢＴを聞くこととなる。
パケット電話網１０３および回線交換電話網１０４は、音声、データ通信サービスを提供する通信事業者のネットワーク設備である。
オペレータ端末１０６は、ユーザから申し込みを受けたサービスを必要装置に登録する作業を行う通信事業者のオペレータが使用する端末である。
マルチメディアＲＢＴ／ＢＴ再生制御装置１０５は、マルチメディアＲＢＴ／ＢＴの再生、制御機能を持つ装置である。マルチメディアＲＢＴ／ＢＴ再生制御装置１０５は、メディア管理蓄積装置１０９に蓄積されたマルチメディアＲＢＴ／ＢＴを、パケット電話網１０３または回線交換電話網１０４および発信者端末１０２を通して発信者が聞くことができるようにメディアの変換、複合、再生を行う。また、加入者は加入者端末１０１およびマルチメディアＲＢＴ／ＢＴ再生制御装置１０５を通してサービスを受ける旨の申し込みを行うことができる。この際マルチメディアＲＢＴ／ＢＴ再生制御装置１０５は、サービス加入に必要なガイダンスの再生、提供も行う。さらに、マルチメディアＲＢＴ／ＢＴ再生制御装置１０５は加入者のサービス加入状況、登録プロファイルを確認する機能を有し、該確認内容を加入者端末１０１へ送出する。
加入者端末管理装置１０７は、通信事業者のオペレータがユーザのサービス登録を行う装置であり、ユーザからマルチメディアＲＢＴ／ＢＴサービスの申し込みを受けた通信事業者のオペレータはサービス登録を、オペレータ端末１０６を通じて、加入者端末管理装置１０７に対して行う。
ユーザプロファイル管理装置１０８はユーザプロファイルを管理する装置である。ユーザプロファイルとは、加入者が発信者や発信者が利用する通信事業者毎に聞かせるマルチメディアＲＢＴ／ＢＴの選択ルールなどを定義するものである。
メディア管理蓄積装置１０９は、マルチメディアＲＢＴ／ＢＴのメディアを蓄積、管理する装置である。
コンテンツプロバイダ端末１１２は、コンテンツプロバイダが作成したマルチメディアＲＢＴ／ＢＴのメディアファイルを提供するものであり、作成されたメディアファイルは、ネットワーク網１１０等を通じてメディア管理蓄積装置１０９にアップロード、登録を行うことができる。なお、メディアファイルはコンテンツプロバイダのほか、サービス加入者が電話機、インターネット等を通じてメディア管理蓄積装置１０９に登録することも可能である。
本実施例において、通信事業者のオペレータは、オペレータ端末１０６を介して加入サービス管理装置１０７に対して、ＲＢＴ／ＢＴの代わりに画像／音声メッセージを送出するマルチメディアＲＢＴ／ＢＴサービスの加入者登録を行う。
サービス加入者が利用する加入者端末１０１に対する発信があると、回線交換電話網１０４を構成する加入者端末１０２の最寄の交換機（不図示）は加入者端末１０１の状況（空き、通話中、もしくは圏外）のチェックを行い、加入者端末１０１が空き、もしくは通話中であった場合、マルチメディアＲＢＴ／ＢＴ再生制御装置１０５に対してルーチングが行われる。該ルーチングの後、マルチメディアＲＢＴ／ＢＴ再生制御装置１０５はユーザプロファイル管理装置１０８内のプロファイルにアクセスし、再生すべきマルチメディアＲＢＴ、もしくはＢＴが決定される。決定されたＲＢＴ／ＢＴは、メディア管理蓄積装置１０９からマルチメディアＲＢＴ／ＢＴ再生制御装置１０５を通して発信者へ流される。
次に、本実施例の動作について、Ｆｉｇ．２およびＦｉｇ．３を参照して説明する。
まずは、Ｆｉｇ．２を用いて、マルチメディアＲＢＴ／ＢＴサービス開始までのプロセスについて説明する。
Ｆｉｇ．２において、マルチメディアＲＢＴ／ＢＴのメディアファイルを提供するコンテンツプロバイダは、コンテンツプロバイダ端末１１２およびネットワーク網１１０等を通じ、メディア管理蓄積装置１０９に対してメディアファイルのアップロード、登録を行う。メディアファイルには、音声の他、メロディ、静止画、ビデオなど様々な形式を用いることができる（［１］）。
一方、サービス提供を希望するユーザは、通信事業者に対してマルチメディアＲＢＴ／ＢＴサービスへの加入申し込みを行う。マルチメディアＲＢＴ／ＢＴサービスの登録方法としては、営業窓口、コールセンタ等、本実施例のシステムを利用しないで通信業者のオペレータがオペレータ端末１０６を介して登録する方法（［２］ａ）のほかに、本実施例のシステムを構成する一装置であるマルチメディアＲＢＴ／ＢＴ再生制御装置１０５を介して行う方法（［２］ｂ）がある。［２］ａの方法の場合、通信事業者のオペレータが加入サービス管理装置１０７に対してサービス登録を行う（［３］）。
サービス登録が完了した加入者は、次に、発信者に対して聞かせるマルチメディアＲＢＴ／ＢＴ、および、それらの選択ルール等の登録を行う。登録方法としては、回線交換網、マルチメディアＲＢＴ／ＢＴ再生制御装置１０５を経由する方法（［４］ａ）、インターネット等を介して外部からによる方法（［４］ｂ）、パケット交換網を経由する方法（［４］ｃ）がある。選択、再生するマルチメディアＲＢＴ／ＢＴは、発信者、発信者の利用する通信事業者、時間帯、特定日などによって制御することができる。また、複数のメディアファイルを複合して再生するように登録することも可能である。
以上のプロセスが完了すると、サービスを提供することが可能な状態となる。
次に、Ｆｉｇ．３を参照して本実施例におけるサービスの提供動作について説明する。
Ｆｉｇ．３において、発信者は発信者端末１０２を用いて加入者端末１０１に対しての発信を行う（［１］）。この発信者についてはマルチメディアＲＢＴ／ＢＴサービスへの加入の有無は問われない。
発信要求を受けた回線交換電話網１０４を構成する交換機は、加入者端末１０１の状態（空き、通話中、圏外など）を確認するとともに、加入者サービス管理装置１０７の登録状況を参照して加入者端末１０１を利用する加入者がマルチメディアＲＢＴ／ＢＴサービスに加入しているかのチェックを行う（［２］）。
加入者端末１０１を利用する加入者がサービス加入者で、かつ状態が空き、もしくは通話中であった場合、交換機からマルチメディアＲＢＴ／ＢＴ再生制御装置１０５に対してルーチングが行われる（［３］）。
着信を受けたマルチメディアＲＢＴ／ＢＴ再生制御装置１０５は、ユーザプロファイル管理装置１０８に対して加入者のユーザプロファイルの問い合わせを行う。その際、発信者情報等をユーザプロファイル管理装置１０８へ提供する（［４］）。
ユーザプロファイルの問い合わせを受けたユーザプロファイル管理装置１０８は、加入者情報、発信事業者情報、時間帯、特定日など、メディアファイル選択に必要なパラメータと、加入者があらかじめ登録した内容から、再生すべきマルチメディアファイルを特定し、マルチメディアＲＢＴ／ＢＴ再生制御装置１０５へ特定した内容を知らせる（［５］）。
ユーザプロファイル管理装置１０８からの応答を受けたマルチメディアＲＢＴ／ＢＴ再生制御装置１０５は、マルチメディアファイルが蓄積、管理されているメディア管理蓄積装置１０９に対して、該当メディアファイルの再生要求を行う（［６］）。
上記の再生要求を受けたメディア管理蓄積装置１０９は、マルチメディアＲＢＴ／ＢＴ再生制御装置１０５に対してマルチメディアファイルを転送し、転送されたファイルは、マルチメディアＲＢＴ／ＢＴ再生制御装置１０５にてメディア変換され、回線交換電話網１０４を通じて発信者に再生される（［７］）。
ここでマルチメディアＲＢＴ／ＢＴ再生制御装置１０５は、回線種別、帯域、音声コーデック方式、電話機の特性を考慮し、マルチメディアを再生に適した形に変換することができるほか、ユーザプロファイル管理装置１０８から複数のマルチメディアファイルの複合再生要求があった場合、それらを複合（ミキシング）して再生することも可能である。
次に、本発明の他の実施例についてＦｉｇ．４を参照して説明する。
Ｆｉｇ．４は本発明の他の実施例の動作を示す図であり、その構成、ならびにサービス開始までのプロセスは第１の実施例のものと同様である。
第１の実施例ではＦｉｇ．３にそのプロセスを示したように、マルチメディアＲＢＴ／ＢＴサービスの加入有無のチェックは、交換網側において行なわれていたが、本実施例において、マルチメディアＲＢＴ／ＢＴサービスの加入有無のチェックはシステム内で実施される。
Ｆｉｇ．４において、発信者端末１０２から加入者端末１０１に対する発信が行われると（［１］）、発信要求を受けた回線交換電話網１０４を構成する交換機は、加入者端末１０１の状態（空き、通話中、圏外など）の確認を行う（［２］）。
加入者端末１０１が空き、もしくは通話中であった場合、交換網からマルチメディアＲＢＴ／ＢＴ再生制御装置１０５に対してルーチングが行われる（［３］）。
着信を受けたマルチメディアＲＢＴ／ＢＴ再生制御装置１０５は、ユーザプロファイル管理装置１０８に対して加入者のユーザプロファイルの問い合わせを行う。その際、発信者情報等をユーザプロファイル管理装置１０８へ提供する（［４］）。
ユーザプロファイルの問い合わせを受けたユーザプロファイル管理装置１０８は、加入サービス管理装置１０７に対して着信者のサービス加入有無について問い合わせを行う（［５］）。
ユーザプロファイル管理装置１０８から問い合わせを受けた加入サービス管理装置１０７は、着信者のサービス加入状況を確認し、結果をユーザプロファイル管理装置１０８に対して通知する（［６］）。
着信者のサービス加入が確認できたユーザプロファイル管理装置１０８は、ここではじめて発信加入者情報、発信事業者情報、時間帯、特定日など、メディアファイル択に必要なパラメータと、加入者があらかじめ登録したプロファイルから再生すべきマルチメディアファイルを特定し、マルチメディアＲＢＴ／ＢＴ再生制御装置１０５へ結果を応答する（［７］）。
一方、着信者がサービス未加入であった場合は、ここでその旨をマルチメディアＲＢＴ／ＢＴ再生制御装置１０５に通知する（［７］）。
ユーザプロファイル管理装置１０８からの応答を受けたマルチメディアＲＢＴ／ＢＴ再生制御装置１０５は、マルチメディアファイルが蓄積、管理されているメディア管理蓄積装置１０９に対して、該当メディアファイルの再生要求を行う（［８］ａ）。
一方、サービス未加入通知を受け取った場合は、回線交換電話網１０４に対してその旨を通知し、通常のトーンＲＢＴ／ＢＴの再生を要求する。（［８］ｂ）
再生要求［８］ａを受け付けたメディア管理蓄積装置１０９は、マルチメディアＲＢＴ／ＢＴ再生制御装置１０５に対してマルチメディアファイルを転送し、転送されたファイルは、マルチメディアＲＢＴ／ＢＴ再生制御装置１０５にてメディア変換され、回線交換網を通じて発信者に再生される（［９］）。
ここでマルチメディアＲＢＴ／ＢＴ再生制御装置１０５は、回線種別、帯域、音声コーデック方式、電話機の特性を考慮し、メディアを再生に適した形に変換することができるほか、ユーザプロファイル管理装置１０８から複数メディアファイルの複合再生要求があった場合、それらを複合（ミキシング）して再生することも可能である。
本発明は以上説明したように構成されているので、以下に記載するような効果を奏する。
マルチメディアＲＢＴ／ＢＴの送出が交換機の外部に設けられたマルチメディアＲＢＴ／ＢＴ再生制御装置１０５、メディア管理蓄積装置１０９により行なわれるため、たとえ従来より利用されている交換機が音声録音、コーデック変換等の機能を具備しないものであっても、ＲＢＴ／ＢＴをマルチメディア化することを容易に行なうことができる。また、これらの動作は加入者サービス管理装置１０７、ユーザプロファイル管理装置１０８を含めて行なわれるが、これらの各装置への加入者のアクセスは、ネットワーク網やパケット網等を通じてプロファイルの登録、変更、削除、サービス加入操作を行うこと、メディアファイルを電話機やインターネットを通じて登録することのいずれでも行なうことができる。
また、サービス加入者は、自らに対する電話発信者に対して、音声、メロディ、静止画、ビデオなど、さまざまな形式のマルチメディアＲＢＴ／ＢＴを再生できる。
また、サービス加入者は、自らへの電話発信者に対して、発信者毎、発信者が利用する通信事業者毎、さらには時間帯、指定日などの状況に応じてＲＢＴ／ＢＴを選択的に聞かせることができる。
また、サービス加入者は、自らへの電話発信者に対して再生するマルチメディアＲＢＴ／ＢＴとして、コンテンツプロバイダが提供するものを利用するほか、自ら登録することができ、さらにはそれらを複合して再生することができる。
【図１】
2004093422.tif 000003
【図２】
2004093422.tif 000004
【図３】
2004093422.tif 000005
【図４】
2004093422.tif 000006
【図５】
2004093422.tif 000007
【国際調査報告】
2004093422.tif 000008
2004093422.tif 000009
2004093422.tif 000010
2004093422.tif 000011